(57)【要約】【課題】  簡易な構成により放射ノイズを軽減することが可能な表示装置および表示方法の提供を課題とする。【解決手段】  本発明において、ノイズ軽減回路３２にて調整端子Ｂが接地するまでに経由する固定抵抗Ｒ１〜Ｒ３の個数を徐々に変動させることにより、ＬＥＤ３１ａに供給する駆動電流の単位時間当たりの変動量を軽減することができる。従って、ＬＥＤ３１ａに供給する駆動電流の急激な変動によって生じる放射ノイズを分散することにより、放射ノイズの振幅を大幅に軽減することができる。【選択図】  図５
2006162753.tif 000002
【特許請求の範囲】
【請求項１】
駆動電流を通電することにより発光可能な複数の発光素子を配列させた表示装置において、
入力した表示データにしたがって上記発光素子に電流を供給する電流供給手段と、
上記発光素子に供給する電流の単位時間当たりの変動量を抑制するノイズ軽減手段とを具備することを特徴とする表示装置。
【請求項２】
上記ノイズ軽減手段は、上記電流供給手段が点灯信号にしたがって上記発光素子に立ち上がり電流を供給するにあたり、同立ち上がり電流を徐々に増加させることを特徴とする請求項１に記載の表示装置。
【請求項３】
上記ノイズ軽減手段は、上記電流供給手段が消灯信号にしたがって上記発光素子に対する電流の供給を停止するにあたり、供給する電流を徐々に減少させることを特徴とする請求項１または請求項２のいずれかに記載の表示装置。
【請求項４】
上記ノイズ軽減手段は、
上記発光素子に供給する電流を制御可能な抵抗回路の抵抗値を変動させることにより、上記発光素子に供給する電流の単位時間当たりの変動量を抑制することを特徴とする請求項１から請求項３のいずれかに記載の表示装置。
【請求項５】
上記ノイズ軽減手段は、
上記抵抗回路の抵抗値を、同抵抗回路の固定抵抗の個数を変えることにより変動させることを特徴とする請求項１から請求項４のいずれかに記載の表示装置。
【請求項６】
上記ノイズ軽減手段は、
上記抵抗回路の抵抗値を、同抵抗回路の可変抵抗の抵抗値を変えることにより変動させることを特徴とする請求項１から請求項４のいずれかに記載の表示装置。
【請求項７】
駆動電流を通電することにより発光可能な複数の発光素子を配列させた表示装置を利用して表示を行う表示方法において、
入力した表示データにしたがって上記発光素子に電流を供給する電流供給工程と、
上記発光素子に供給する電流の単位時間当たりの変動量を抑制するノイズ軽減工程とを具備することを特徴とする表示方法。
【発明の詳細な説明】
【技術分野】
【０００１】
本発明は、駆動電流を通電することにより発光可能な複数の発光素子を配列させた表示装置、および、その表示装置を利用した表示方法に関する。
【背景技術】
【０００２】
従来、この種の表示装置として、マトリックス状に配置された複数色のＬＥＤの点灯タイミングをＬＥＤの色ごとにずらしたものが知られている。（例えば、特許文献１。）。また、同文献において同一色のＬＥＤの点灯タイミングを所定のブロックごとにずらした技術も開示されている。
かかる構成によれば、すべてのＬＥＤの点灯タイミングが同時となることがないため、ＬＥＤの電流変動時に発生する放射ノイズの発生タイミングをずらすことが可能であった。すなわち、放射ノイズの影響を時間的に分散させ、同放射ノイズによる悪影響を軽減することが可能であった。
【特許文献１】特開平６−１８６９３０号公報
【発明の開示】
【発明が解決しようとする課題】
【０００３】
しかしながら、ＬＥＤは色ごとの輝度値が異なるため、色ごとにＬＥＤの点灯時間を変えて、色ごとの輝度バランスを確保する制御が行われていた。すなわち、バランスよく混色して適正な色を表現するためには、必然的に色ごとの点灯タイミングがずらされるため、上述した技術を敢えて適用する必要がなかった。従って、上述した技術を敢えて適用すると配線が増加し、無用なコストを発生させるという課題があった。また、上述した技術では点灯タイミングをずらすための制御単位が色ごとまたはブロック単位であるため、全ＬＥＤの個数の約数分にしか放射ノイズを分散させることができないという課題もあった。
本発明は、上記課題にかんがみてなされたもので、簡易な構成により放射ノイズを軽減することが可能な表示装置および表示方法の提供を目的とする。
【課題を解決するための手段】
【０００４】
上記目的を達成するため、請求項１にかかる発明では、駆動電流を通電することにより発光可能な複数の発光素子を配列させた表示装置において、入力した表示データにしたがって上記発光素子に電流を供給する電流供給手段と、上記発光素子に供給する電流の単位時間当たりの変動量を抑制するノイズ軽減手段とを具備する構成としてある。
【０００５】
上記のように構成した請求項１の発明において、発光素子は駆動電流を通電することにより発光することが可能である。そして、上記発光素子をマトリックス状に配置させることにより種々の情報を表示することが可能な表示装置が形成される。電流供給手段は、入力した表示データにしたがって上記発光素子に電流を供給する。これにより、上記発光素子が点灯し、所望の情報を上記表示装置にて表示することができる。上記ノイズ軽減手段は、上記電流供給手段によって上記発光素子に供給する電流の単位時間当たりの変動量を抑制する。これにより、上記発光素子に供給する電流の単位時間当たりの変動量が抑制されれば、同発光素子において電流変動時に発生する放射ノイズを軽減することができる。
【０００６】
さらに、請求項２にかかる発明では、上記ノイズ軽減手段は、上記電流供給手段が点灯信号にしたがって上記発光素子に立ち上がり電流を供給するにあたり、同立ち上がり電流を徐々に増加させる構成としてある。
上記のように構成した請求項２の発明において、上記電流供給手段が点灯信号にしたがって上記発光素子に立ち上がり電流を供給するとき、この立ち上がり電流が上記ノイズ軽減手段によって徐々に増加させられる。これにより、立ち上がり電流を供給する際の急激な電流変動を抑制することができ、点灯開始時の放射ノイズを軽減することができる。
【０００７】
さらに、請求項３にかかる発明では、上記電流供給手段が消灯信号にしたがって上記表示素子における電流の供給を停止するにあたり、供給する電流を徐々に減少させる構成としてある。
上記のように構成した請求項３の発明において、上記電流供給手段が消灯信号にしたがって上記表示素子に対する電流の供給を停止するとき、同表示素子に供給する電流が徐々に減少させられる。これにより、上記表示素子が消灯する際の急激な電流変動を抑制することができ、消灯時の放射ノイズを軽減することができる。
【０００８】
さらに、請求項４にかかる発明では、上記ノイズ軽減手段は、上記発光素子に供給する電流を制御可能な抵抗回路の抵抗値を変動させることにより、上記発光素子に供給する電流の単位時間当たりの変動量を抑制する構成としてある。
上記のように構成した請求項４の発明において、上記発光素子の電流が所定の抵抗回路の抵抗値によって制御される。そして、この抵抗値を変動させることにより、上記発光素子に供給する電流の単位時間当たりの変動量を抑制することができる。
【０００９】
また、請求項５にかかる発明では、上記ノイズ軽減手段は、上記抵抗回路の抵抗値を、同抵抗回路の固定抵抗の個数を変えることにより変動させる構成としてある。
上記のように構成した請求項５の発明において、上記抵抗回路に備えられた固定抵抗の個数を変動させることにより、同抵抗回路全体の抵抗値を変動させることができる。従って、上記発光素子に供給する電流の単位時間当たりの変動量を抑制することができる。
【００１０】
また、請求項６にかかる発明では、上記ノイズ軽減手段は、上記抵抗回路の抵抗値を、同抵抗回路の可変抵抗の抵抗値を変えることにより変動させる構成としてある。
上記のように構成した請求項６の発明において、上記抵抗回路に備えられた可変抵抗の抵抗値を変えることにより、同抵抗回路全体の抵抗値を変動させることができる。これにより、上記発光素子に供給する電流を変動させることができ、上記発光素子に供給する電流の単位時間当たりの変動量を抑制することができる。
【００１１】
また、上述した装置は、かかる装置を実現する方法としても適用可能であり、請求項７にかかる発明においても、基本的には同様の作用となる。むろん、請求項２〜請求項６に記載された構成を請求項７の方法に対応させることも可能である。
【発明の効果】
【００１２】
以上説明したように、請求項１および請求項７にかかる発明によれば、簡易な構成により放射ノイズを軽減することが可能な表示装置および表示方法を提供することができる。
請求項２にかかる発明によれば、点灯開始時の放射ノイズを軽減することができる。
請求項３にかかる発明によれば、消灯時の放射ノイズを軽減することができる。
請求項４にかかる発明によれば、簡易な構成で電流の変動を抑制することができる。
請求項５にかかる発明によれば、固定抵抗の個数によって段階的に電流を変動させることができる。
請求項６にかかる発明によれば、可変抵抗の抵抗値によって連続的な電流変動を実現することができる。
【発明を実施するための最良の形態】
【００１３】
ここでは、下記の順序に従って本発明の実施形態について説明する。
（１）表示装置の構成：
（２）表示装置の動作：
（３）変形例：
（４）まとめ：
【００１４】
（１）表示装置の構成：
図１は、本発明にかかる表示装置の外観を示している。
同図において、表示装置１０は、道路脇に立てられた支柱に取り付けられる装置であり、その表示面１１に交通情報等を表示する。表示面１１には発光素子として複数のＬＥＤが配設されており、これらのＬＥＤのいずれかを点灯させることによって表示面上に文字や図柄を表示することができる。拡大図Ｍは表示面１１の一部を拡大して模式的に示した図である。表示面１１は、赤色ＬＥＤ（Ｒ）と黄緑色ＬＥＤ（Ｇ）とからなる画素Ｐがマトリックス状に並べられて形成されており、各色ＬＥＤを画素毎に点灯制御することにより赤色、黄緑色およびそれらの混色の橙色の３色で文字や図柄の表示を行う。すなわち、各画素について赤色ＬＥＤのみを点灯させると赤、黄緑色ＬＥＤのみを点灯させると黄緑、赤色ＬＥＤと黄緑色ＬＥＤを点灯させると橙の文字や図柄を表示することができる。
【００１５】
図２は、表示装置１０の内部構成をブロック図により示している。同図において、表示装置１０は表示面１１で表示を行う文字や図柄を制御する制御部２０と、複数のＬＥＤ表示ユニット３１を駆動するＬＥＤ表示部３０とを備えている。ＬＥＤ表示部３０は、一定数のＬＥＤが搭載されたＬＥＤ表示ユニット３１を複数個備えており、各ユニットにはシフトレジスタが搭載されている。シフトレジスタは、入力されるクロックに同期してデジタルデータを次々と隣のレジスタに伝達する記憶装置であり、各色ＬＥＤのそれぞれにレジスタが対応している。本実施形態では、レジスタ内に記憶されたデジタルデータが”１”であるときに対応するＬＥＤを点灯し、デジタルデータが”０”であるときに対応するＬＥＤを非点灯にする。
【００１６】
表示面１１の全体において文字や図柄を表示するために、ＬＥＤ表示部３０は制御部２０からシリアル転送されるデジタルデータを取得し、各ＬＥＤ表示ユニットのシフトレジスタにデータを転送する。そして、同データをシフトレジスタで一時記憶させるとともに表示ユニット３１にイネーブル信号を与えることにより、イネーブル信号が与えられた時間だけ制御部２０から転送されるデジタルデータに対応した文字や図柄を表示面１１上に点灯表示させる。
【００１７】
制御部２０は、ＣＰＵ２１と制御プログラムメモリ２２と表示データメモリ２３とＲＯＭ２４とを備えている。制御プログラムメモリ２２は、表示装置１０を制御する表示制御信号を外部から取得し、取得した表示制御信号に応じてＬＥＤを点灯する表示データを構成する制御プログラムを記憶した記憶媒体であり、ＣＰＵ２１は表示データメモリ２３をワークエリアとして利用しながら当該制御プログラムを実行する。ＲＯＭ２４には、表示対象となる文字や図柄を表す表示データ２４ａが記憶されている。表示データ２４ａは、表示装置１０の表示面１１上に表示させる文字や図柄毎にＬＥＤの表示位置を指定するデータであり、ＬＥＤの色ごとに赤色表示用データ（Ｒデータ）と黄緑色表示用データ（Ｇデータ）として記憶されている。本実施形態においては、この表示データ２４ａが表示位置に対応するＬＥＤを点灯させるための本発明にかかる表示データとなる。表示に際しては、ＣＰＵ２１の制御によって表示データ２４ａが表示データメモリ２３に保存される。さらにＣＰＵ２１は、当該表示データメモリ２３に保存した表示データ２４ａを所定タイミングのクロックに同期させてＬＥＤ表示部３０にシリアル転送する。
【００１８】
（２）表示装置の動作：
図３は、ＬＥＤ表示ユニット３１の内部構成を示しており、例えば１６行×１６列のドットマトリックス状のＬＥＤ３１ａ，３１ａ，３１ａ・・・を備えている。各ＬＥＤ３１ａ，３１ａ，３１ａ・・・は、表示データにより、個別に制御することが可能となっている。
【００１９】
定電流駆動回路３１ｂは、それぞれにイネーブル信号が入力される駆動端子Ａを備え、各ＬＥＤ３１ａ，３１ａ，３１ａ・・・のイネーブル信号が入力された期間においてＬＥＤ３１ａ，３１ａ，３１ａ・・・に駆動電流を通電する。ただし、定電流駆動回路３１ｂは、後述するシフトレジスタ３１ｃにて取得された表示データにおいて”１”のビットに対応するＬＥＤ３１ａにのみ駆動電流を供給する。また、定電流駆動回路３１ｂは、本発明の抵抗回路としてのノイズ軽減回路３２と接続する調整端子Ｂを有している。
【００２０】
シフトレジスタ３１ｃは、当該ＬＥＤ表示ユニット３１が表示を担当する部分の表示データを記憶するとともに、後段に接続された別のＬＥＤ表示ユニット３１のシフトレジスタ３１ｃに表示データを出力する。これによって、各ＬＥＤ表示ユニット３１のシフトレジスタ３１ｃが表示データを順次シフトさせ、末端のＬＥＤ表示ユニット３１まで表示データを行き渡らせることができる。そして、末端のＬＥＤ表示ユニット３１まで表示データが行き渡ったところで、制御部２０はイネーブル信号を各ＬＥＤ表示ユニット３１の定電流駆動回路３１ｂに供給する。
【００２１】
なお、表示データは各ビットが”０”または”１”で表現される信号であり、各ビットが各ＬＥＤ３１ａ，３１ａ，３１ａ・・・に対応している。従って、ＬＥＤ表示ユニット３１が１６行×１６列のＬＥＤ３１ａ，３１ａ，３１ａ・・・を備える場合には、２５６ビットの表示データがシフトレジスタ３１ｃにて取得される。このようにすることにより、表示データに基づいて各ＬＥＤ３１ａ，３１ａ，３１ａ・・・を個々に点灯制御することができる。また、イネーブル信号の入力が停止すると、駆動電流の供給がなくなり、表示データにかかわらず各ＬＥＤ３１ａ，３１ａ，３１ａ・・・は全て消灯する。なお、図３においては理解を容易とするためＬＥＤ３１ａ，３１ａ，３１ａ・・・を単色のＬＥＤによって表現しているが、実際は上述したように赤色ＬＥＤ（Ｒ）と黄緑色ＬＥＤ（Ｇ）とからなるＬＥＤ３１ａのための二系統の定電流駆動回路３１ｂとシフトレジスタ３１ｃが備えられている。
【００２２】
一方、ノイズ軽減回路３２は、各定電流駆動回路３１ｂの調整端子Ｂと固定抵抗Ｒａを介して接続している。また、ノイズ軽減回路３２は、固定抵抗Ｒａおよび直列に接続された固定抵抗Ｒ１，Ｒ２，Ｒ３を介して定電流駆動回路３１ｂの調整端子Ｂを接地させている。なお、固定抵抗Ｒａおよび直列に接続された固定抵抗Ｒ１，Ｒ２，Ｒ３の抵抗値はすべて同じとされている。定電流駆動回路３１ｂは調整端子Ｂが接地するまでの抵抗値によって各ＬＥＤ３１ａ，３１ａ，３１ａ・・・に出力する電流を変動させる。すなわち、調整端子Ｂが接地するまでの抵抗値が小さいほど、ＬＥＤ３１ａ，３１ａ，３１ａ・・・に出力する電流が大きくなる。
【００２３】
ノイズ軽減回路３２における固定抵抗Ｒａと固定抵抗Ｒ１の間にはコレクタ−エミッタ間を介して接地するＮＰＮ型トランジスタＴｒ１が備えられている。同様に、固定抵抗Ｒ１と固定抵抗Ｒ２の間にはコレクタ−エミッタ間を介して接地するＮＰＮ型トランジスタＴｒ２が備えられ、固定抵抗Ｒ２と固定抵抗Ｒ３の間にもコレクタ−エミッタ間を介して接地するＮＰＮ型トランジスタＴｒ３が備えられている。トランジスタＴｒ１，Ｔｒ２，Ｔｒ３の各ベース端子は、２−４デコーダ３２ａの出力端子Ｏ１，Ｏ２，Ｏ３に接続されている。デコーダ３２ａには入力端子Ｉ１，Ｉ２が設けられており、同入力端子Ｉ１，Ｉ２のそれぞれに対して制御部２０からノイズ軽減信号が出力されている。
【００２４】
図４は、デコーダ３２ａの動作を模式的に示している。入力端子Ｉ１，Ｉ２に入力されるノイズ軽減信号は、各ビットが”０”または”１”で表現される信号であり、入力端子Ｉ１，Ｉ２の双方に入力されるノイズ軽減信号の組合せによって出力端子Ｏ１，Ｏ２，Ｏ３の出力レベルが可変される。入力端子Ｉ１，Ｉ２の入力レベルが双方とも”０”である場合には、出力端子Ｏ１，Ｏ２，Ｏ３のいずれも”０”となる。入力端子Ｉ１，Ｉ２の入力レベルが双方とも”１”である場合には、出力端子Ｏ１のみが”１”となる。入力端子Ｉ１が”０”、かつ、入力端子Ｉ２が”１”である場合には、出力端子Ｏ２のみが”１”となる。さらに、入力端子Ｉ１が”１”、かつ、入力端子Ｉ２が”０”である場合には、出力端子Ｏ３のみが”１”となる。
【００２５】
出力レベルが”１”となる出力端子Ｏ１，Ｏ２，Ｏ３においては対応するトランジスタＴｒ１，Ｔｒ２，Ｔｒ３のベース端子にベース電流を供給することができ、そのコレクタ−エミッタ間の抵抗を極小化させることができる。すると、図２においてベース電流が供給されたトランジスタＴｒ１，Ｔｒ２，Ｔｒ３のコレクタ−エミッタによって調整端子Ｂが短絡して接地することとなる。すなわち、入力端子Ｉ１，Ｉ２に入力されるノイズ軽減信号によって、調整端子Ｂが接地するまでの抵抗値を変動させることが可能となっている。
【００２６】
具体的には、入力端子Ｉ１，Ｉ２の入力レベルが双方とも”１”である場合には、出力端子Ｏ１のみが”１”となり、調整端子Ｂは固定抵抗Ｒａのみを介して接地することとなる。入力端子Ｉ１が”０”、かつ、入力端子Ｉ２が”１”である場合には、出力端子Ｏ２のみが”１”となり、調整端子Ｂは固定抵抗Ｒａおよび固定抵抗Ｒ１を介して接地することとなる。さらに、入力端子Ｉ１が”１”、かつ、入力端子Ｉ２が”０”である場合には、出力端子Ｏ３のみが”１”となり、調整端子Ｂは固定抵抗Ｒａおよび固定抵抗Ｒ１，Ｒ２を介して接地することとなる。さらに、入力端子Ｉ１，Ｉ２の入力レベルが双方とも”０”である場合には、出力端子Ｏ１，Ｏ２，Ｏ３のいずれも”０”となり、調整端子Ｂは固定抵抗Ｒａおよび固定抵抗Ｒ１，Ｒ２，３を介して接地することとなる。すなわち、入力端子Ｉ１，Ｉ２に入力されるノイズ軽減信号によって、調整端子Ｂが接地するまでの抵抗値を四段階に変動させることが可能となっている。従って、この抵抗値に応じて変動するＬＥＤ３１ａ，３１ａ，３１ａ・・・の駆動電流も四段階に変動させることがきる。
【００２７】
図５は、制御部２０からＬＥＤ表示ユニット３１に入力される信号とＬＥＤ３１ａの駆動電流のタイミングチャートを示している。同図において、イネーブル信号が定電流駆動回路３１ｂの駆動端子Ａに入力されるとき、入力端子Ｉ１，Ｉ２におけるノイズ軽減信号の入力レベルが双方とも”０”となっている。このとき、調整端子Ｂの接地抵抗は最大となり、これに対応してＬＥＤ３１ａの駆動電流が低い値（最大時の１／４）となっている。次に、入力端子Ｉ１，Ｉ２におけるノイズ軽減信号の入力レベルが”１”および”０”となり、調整端子Ｂの接地抵抗がやや減少し、ＬＥＤ３１ａの駆動電流が少し増加（最大時の１／２）する。その後、入力端子Ｉ１，Ｉ２におけるノイズ軽減信号の入力レベルが”０”および”１”となり、調整端子Ｂの接地抵抗がやや減少し、ＬＥＤ３１ａの駆動電流が少し増加（最大時の３／４）する。さらに、次の段階で入力端子Ｉ１，Ｉ２におけるノイズ軽減信号の入力レベルが双方とも”１”となり、調整端子Ｂの接地抵抗が最低となり、ＬＥＤ３１ａの駆動電流が最大となる。
【００２８】
すなわち、イネーブル信号が”０”から”１”に切り替わる点灯信号となるとき、ＬＥＤ３１ａに駆動電流が通電し始めるが、その立ち上がり電流の急激な増加を軽減することができる。ＬＥＤ３１ａにおいては供給する電流の急激な変動によって放射ノイズが発生するが、立ち上がり電流を四段階に分けて増加させているため、各段階におけるノイズの振幅を軽減するとともに、時間的にノイズを分散させることができる。従って、放射ノイズによる周辺機器の破損や、表示面１１のちらつきを軽減することができる。具体的には、ＣＰＵ２１が所定タイミングのクロックにてイネーブル信号”１”を出力すると同時に、入力端子Ｉ１，Ｉ２における入力レベルを”０，０”→”１，０”→”０，１”→”１，１”と切り替わるようにノイズ軽減信号を出力する。
【００２９】
一方、イネーブル信号を”０”としてＬＥＤ３１ａを消灯させるにあたっては、ＬＥＤ３１ａを流通する電流が四段階に分けて減少するように制御されている。すなわち、ＣＰＵ２１がイネーブル信号”０”とする消灯信号を出力するにあたり、入力端子Ｉ１，Ｉ２における入力レベルを”１，１”→”０，１”→”１，０”→”０，０”と切り替わるようにノイズ軽減信号を出力している。なお、ＣＰＵ２１は内部クロックによりイネーブル信号を”０”とすべきタイミングを認知可能であるため、イネーブル信号”０”となるタイミングに合わせて予めノイズ軽減信号を”１，１”→”０，１”→”１，０”→”０，０”と切り替えておくことができる。このように、ＬＥＤ３１ａにおける駆動電流の供給を停止させるにあたっても、徐々に駆動電流を変動させて放射ノイズを軽減することができる。
【００３０】
このようにノイズ軽減回路３２にて調整端子Ｂが接地するまでに経由する固定抵抗Ｒ１，Ｒ２，Ｒ３の個数を徐々に変動させることにより、ＬＥＤ３１ａに供給する電流の単位時間当たりの変動量を軽減することができる。なお、固定抵抗Ｒ１〜Ｒ３は同じ抵抗値であるものに限られず、個々異なる抵抗値であってもよい。例えば、ＬＥＤ３１ａのノイズ特性上、低電流領域における電流変動の方が、高電流領域における電流変動よりも発生するノイズ振幅が大きい場合には、固定抵抗Ｒ３の抵抗値を小さくして、特に低電流領域における電流変動を軽減させてもよい。むろん、固定抵抗Ｒ１，Ｒ２，Ｒ３の設置個数を増加させて各タイミングにおける電流変動量を減少させてもよい。
【００３１】
（３）変形例：
上述した実施形態においては、ノイズ軽減回路３２にて調整端子Ｂが接地するまでに経由する固定抵抗Ｒ１，Ｒ２，Ｒ３の個数を徐々に変動させることにより、ＬＥＤ３１ａを流通する電流の単位時間当たりの変動量を軽減したが、他の手段によってノイズ軽減回路の抵抗値を変動させてもよい。図６は、変形例にかかる表示装置の内部構成を示すブロック図により示している。同図において、調整端子Ｂが接地する経路において複数の固定抵抗の代わりにＮＰＮ型トランジスタＴｒ４が備えられている。トランジスタＴｒ４のコレクタに調整端子Ｂが接続しており、エミッタが接地している。そして、トランジスタＴｒ４のベースには波形整形回路１３３を介して制御部２０からノイズ軽減信号が入力されている。
【００３２】
図７は、ノイズ軽減信号およびＬＥＤ３１ａの駆動電流のタイミングチャートを示している。同図において、ノイズ軽減信号は、イネーブル信号とともに立ち上がり、イネーブル信号の立ち下げの直前に立ち下げられる矩形状のパルス波形とされている。このノイズ軽減信号の立ち上げ部および立ち下げ部の波形は、波形整形回路１３３を通過することにより、傾斜させられる。このような波形整形を行う波形整形回路１３３として、例えばコンデンサやコイル等を利用した積分回路を適用することができる。波形整形が行われたノイズ軽減信号はトランジスタＴｒ４のベース端子に入力され、同ノイズ軽減信号によってトランジスタＴｒ４のコレクタ−エミッタ間の抵抗値が変動する。
【００３３】
このようにすることにより、調整端子Ｂが接地するまでに経由する抵抗回路の抵抗値を変動させることができる。従って、波形整形されたノイズ軽減信号に応じてＬＥＤ３１ａの駆動電流を変動させることができる。すなわち、ＬＥＤ３１ａの駆動電流の立ち上がりおよび立ち下がりを緩やかにし、同駆動電流の急激な変化も抑制することができる。トランジスタＴｒ４のような可変抵抗により、調整端子Ｂが接地するまでに経由する抵抗回路の抵抗値を変動させれば、連続的、かつ、なめらかに駆動電流を変動させることができる。従って、放射ノイズを効果的に抑制することができる。なお、コレクタ−エミッタ間の抵抗変化をより緩やかとするために、立ち上がり時間と立ち下がり時間の長いトランジスタＴｒ４を適用することが望ましい。
【００３４】
（４）まとめ：
本発明において、ノイズ軽減回路３２にて調整端子Ｂが接地するまでに経由する固定抵抗Ｒ１〜Ｒ３の個数を徐々に変動させることにより、ＬＥＤ３１ａに供給する駆動電流の単位時間当たりの変動量を軽減することができる。従って、ＬＥＤ３１ａに供給する駆動電流の急激な変動によって生じる放射ノイズを分散することにより、放射ノイズの振幅を大幅に減少させることができる。
【図面の簡単な説明】
【００３５】
【図１】本発明にかかる表示装置の外観図である。
【図２】本発明にかかる表示装置のブロック図である。
【図３】ＬＥＤ表示ユニットの内部ブロック図である。
【図４】デコーダの動作説明図である。
【図５】各信号の波形を示すタイミングチャートである。
【図６】変形例にかかるＬＥＤ表示ユニットの内部ブロック図である。
【図７】変形例にかかる各信号の波形を示すタイミングチャートである。
【符号の説明】
【００３６】
１０…表示装置
１１…表示面
２０…制御部
２２…制御プログラムメモリ
２３…表示データメモリ
２４ａ…表示データ
３０…表示部
３１…ＬＥＤ表示ユニット
３１ａ…ＬＥＤ
３１ｂ…定電流駆動回路
３１ｃ…シフトレジスタ
３２…ノイズ軽減回路
３２ａ…デコーダ
１３３…波形整形回路
Ａ…駆動端子
Ｂ…調整端子
Ｉ１，Ｉ２…入力端子
Ｒａ，Ｒ１，Ｒ２，Ｒ３…固定抵抗
Ｔｒ１，Ｔｒ２，Ｔｒ３…トランジスタ
Ｔｒ４…トランジスタ（可変抵抗）
【図１】
2006162753.tif 000003
【図２】
2006162753.tif 000004
【図３】
2006162753.tif 000005
【図４】
2006162753.tif 000006
【図５】
2006162753.tif 000007
【図６】
2006162753.tif 000008
【図７】
2006162753.tif 000009